(57)【要約】 【課題】本考案は、キャップ部より径の大きなトレーを把持してトレー付きキャップをボトル型の容器本体部に取り付けても、トレーに取り付けられたヒンジ蓋が外れ難く、捩じ切れないトレー付きキャップを提供することを目的とする。【解決手段】内壁面にネジ部３０ｆが設けられたキャップ部３２と、前記キャップ部３２に取り付けられたトレー３３と、を有し、トレー３３にヒンジ３５を介してヒンジ蓋３４が取り付けられたトレー付きキャップ３０であって、ヒンジ蓋３４の内壁面に沿って２個以上のねじれ防止リブ３８が取り付けられており、ヒンジ蓋３４でトレー３３の蓋をしたときに、トレー３３の外周縁部３３ａがねじれ防止リブ３８と前記ヒンジ蓋３４の外周縁部３４ａとの間に嵌合されるトレー付きキャップを用いることにより、上記課題を解決できる。【選択図】図２
0003149997.tif 000002
【実用新案登録請求の範囲】
【請求項１】
内壁面にネジ部が設けられたキャップ部と、前記キャップ部に取り付けられたトレーと、を有し、前記トレーにヒンジを介してヒンジ蓋が取り付けられたトレー付きキャップであって、
前記ヒンジ蓋の内壁面に沿って２個以上のねじれ防止リブが取り付けられており、前記ヒンジ蓋で前記トレーの蓋をしたときに、前記トレーの外周縁部が前記ねじれ防止リブと前記ヒンジ蓋の外周縁部との間に嵌合されることを特徴とするトレー付きキャップ。
【請求項２】
前記ヒンジ蓋の外周縁部に設けられた段部から前記ヒンジ蓋の外周縁部の先端までの長さが、前記トレーに設けられた収容凹部の深さの１／５以上であることを特徴とする請求項１に記載のトレー付きキャップ。
【請求項３】
前記段部から前記ねじれ防止リブの先端までの長さが、前記段部から前記ヒンジ蓋の外周縁部の先端までの長さ以上とされていることを特徴とする請求項１または請求項２に記載のトレー付きキャップ。
【請求項４】
前記ヒンジ蓋の中心を通り、前記ヒンジの中心位置と前記ヒンジ蓋の開閉用に形成されたフック部の中心位置とを結ぶ線に垂直な線より前記フック部側に、前記ねじれ防止リブが取り付けられていることを特徴とする請求項１〜３のいずれか１項に記載のトレー付きキャップ。
【考案の詳細な説明】
【技術分野】
【０００１】
本考案は、トレー付きキャップに関する。
【背景技術】
【０００２】
近年、内部に貯蔵した液体を外部に注出できる液体注出容器が様々な用途に用いられている。たとえば、芳香剤、殺虫剤等に用いられる薬剤揮散容器や薬液容器などとして用いられている。
【０００３】
薬剤揮散容器として用いられる液体注出容器は、たとえば、ボトル型の容器本体部と、前記容器本体部の空洞部に連通する開口を塞ぐように取り付けられた中栓と、中栓を覆うように取り付けられた輸送用キャップと、輸送用キャップを覆うように取り付けられたトレー付きキャップと、トレー付きキャップを押さえつけるように取り付けられた外部キャップとを有する商品パッケージとして店頭で販売されている。
なお、前記中栓に設けられた含浸体用孔部には、棒状の含浸体（吸液芯）が挿通保持され、前記トレー付きキャップのトレーには、略直方体状の含浸体（吸液体）を配置される。
【０００４】
前記商品パッケージを購入した消費者は、自宅で使用する際に、前記輸送用キャップを取り除き、前記吸液体と前記吸液芯とが接触するように前記中栓上に前記トレー付きキャップを取り付けて使用する。
前記輸送用キャップを取り除くことにより、前記中栓に設けられた通気孔を通して外部の空気が前記空洞部に取り込まれることが可能となる。これにより、前記空洞部に貯蔵されていた液体（薬液）が前記吸液芯の一端側から他端側へと吸い上げられ、他端側で前記吸液体に浸透して、その表面から外部へ揮散される。
【０００５】
前記トレー付きキャップは、内壁面にネジ部が備えられたキャップ部と、前記キャップ部に取り付けられたトレーとからなる。一般に、薬液の揮散効果を高めるために、前記トレーに配置される前記吸液体の表面積を大きくするために、前記キャップ部の径よりも前記トレーの径は大きくされている。
【０００６】
図７に示すように、トレー付きキャップ３０を容器本体部１に取り付ける際には、片方の手で容器本体部１を保持し、もう片方の手で前記キャップ部より径の大きなトレー付きキャップ３０のトレーを把持して、ボトル型の容器本体部１のボトルネック部の外周に設けられたネジ部と、トレー付きキャップ３０のネジ部とを螺合させながら取り付ける。
このとき、前記ヒンジ蓋が前記トレーにしっかり嵌合していない場合には、前記ヒンジ蓋が前記トレーから外れるとともに、前記ヒンジ蓋が捩じれて、ヒンジが外れたり、ヒンジ切れが生じる場合があった。
【０００７】
特許文献１〜３では、トレー付きキャップに関連するキャップの構成ついて開示されている。
特許文献１は、容器のキャップに関するものであり、キャップ本体と、ヒンジを介して前記キャップ本体の上面を開閉する蓋体とを一体成形してなり、前記キャップ本体の外周には、押し操作により上部を内側に弾性変形させる上向きの操作片を前記ヒンジと対向する位置に形成し、前記操作片の上端には、前記蓋体を閉鎖位置にロックする外向きの係止フックを設け、該係止フックの頂面には、前記操作片を押し操作することにより閉鎖位置の前記蓋体を押し上げる内側の斜面と、前記蓋体を閉鎖位置に押し下げることにより前記操作片の上部を内側に弾性変形させる外側の斜面と、を形成する容器のキャップについて開示されている。前記操作片を押すことで、前記頂面が前記蓋体を押し上げ、容易に開栓することができる。
【０００８】
特許文献２は、ヒンジキャップに関するものであり、容器の上縁に突出する口部の外周に形成されたくびれ凹部に係止する嵌合突条を有する外周壁と、注出口を上部に形成した嵌合上壁と、口部の内周に係合する内周壁とからなり、前記外周壁と嵌合上壁と内周壁との間に前記口部への嵌着部を形成したキャップ本体と、前記キャップ本体とヒンジを介して開閉可能に連結され、閉鎖時に前記キャップ本体の上壁に係合し、天井面に設けたインナーリングによって注出口を密封する上蓋を備え、前記外周壁のヒンジの付け根に対応する部分に深溝を形成した合成樹脂製ヒンジキャップにおいて、前記深溝の内面に変形防止用リブを突出形成したヒンジキャップについて開示されている。このヒンジキャップは、使用後の分離回収において、上蓋を下方に引くことで本体のヒンジ付け根部分などに形成された弱化部から切り裂くことができる。また、前記変形防止用リブが、上蓋を閉じるときに前記キャップ本体との位置ずれを防止する。
【０００９】
特許文献３は、生化学容器に関するものであり、一端が開口している容器部材と、前記容器部材の開口を開閉自在に閉止する蓋部材と、を有する生化学容器であって、前記容器部材の開口を閉止する位置と開放する位置とに前記蓋部材を揺動自在に支持しているヒンジ機構と、前記容器部材と前記蓋部材との一方の外側面に一端が連結されているとともに他方の外側面に他端が対向していて弾発的に湾曲する開放補助部材と、前記開放補助部材に外側から作用する方向の応力を開放方向で前記蓋部材に作用する応力に変換する方向変換機構と、を有する生化学容器について開示されている。これにより、片手で前記蓋部材を開閉可能とされている。
【００１０】
しかし、特許文献１〜３に開示された構成では、キャップ部の径よりも大きくされたトレーを有するトレー付きキャップをボトル型の容器本体部に取り付ける際に、前記ヒンジ蓋が捩じれて、ヒンジ切れが生じるのを防止できなかった。
【先行技術文献】
【特許文献】
【００１１】
【特許文献１】特開２００７−８５５３号公報
【特許文献２】特開２００７−１３１３２７号公報
【特許文献３】特開２００８−１４３５４３号公報
【考案の概要】
【考案が解決しようとする課題】
【００１２】
本考案は、上記事情を鑑みてなされたもので、キャップ部より径の大きなトレーを把持してトレー付きキャップをボトル型の容器本体部に取り付けても、トレーに取り付けられたヒンジ蓋が外れ難く、捩じ切れないトレー付きキャップを提供することを目的とする。
【課題を解決するための手段】
【００１３】
上記の目的を達成するために、本考案は以下の構成を採用した。すなわち、
本考案のトレー付きキャップは、内壁面にネジ部が設けられたキャップ部と、前記キャップ部に取り付けられたトレーと、を有し、前記トレーにヒンジを介してヒンジ蓋が取り付けられたトレー付きキャップであって、前記ヒンジ蓋の内壁面に沿って２個以上のねじれ防止リブが取り付けられており、前記ヒンジ蓋で前記トレーの蓋をしたときに、前記トレーの外周縁部が前記ねじれ防止リブと前記ヒンジ蓋の外周縁部との間に嵌合されることを特徴とする。
【００１４】
本考案のトレー付きキャップは、前記ヒンジ蓋の外周縁部に設けられた段部から前記ヒンジ蓋の外周縁部の先端までの長さが、前記トレーに設けられた収容凹部の深さの１／５以上であることを特徴とする。
本考案のトレー付きキャップは、前記段部から前記ねじれ防止リブの先端までの長さが、前記段部から前記ヒンジ蓋の外周縁部の先端までの長さ以上とされていることを特徴とする。
本考案のトレー付きキャップは、前記ヒンジ蓋の中心を通り、前記ヒンジの中心位置と前記ヒンジ蓋の開閉用に形成されたフック部の中心位置とを結ぶ線に垂直な線より前記フック部側に、前記ねじれ防止リブが取り付けられていることを特徴とする。
【考案の効果】
【００１５】
上記の構成によれば、キャップ部より径の大きなトレーを把持してトレー付きキャップをボトル型の容器本体部に取り付けても、トレーに取り付けられたヒンジ蓋が外れ難く、捩じ切れないトレー付きキャップを提供することができる。
【００１６】
本考案のトレー付きキャップは、内壁面にネジ部が設けられたキャップ部と、前記キャップ部に取り付けられたトレーと、を有し、前記トレーにヒンジを介してヒンジ蓋が取り付けられたトレー付きキャップであって、前記ヒンジ蓋の内壁面に沿って２個以上のねじれ防止リブが取り付けられており、前記ヒンジ蓋で前記トレーの蓋をしたときに、前記トレーの外周縁部が前記ねじれ防止リブと前記ヒンジ蓋の外周縁部との間に嵌合される構成なので、キャップ部より径の大きなトレーを把持してトレー付きキャップをボトル型の容器本体部に取り付けても、トレーに取り付けられたヒンジ蓋が外れたり、捩じ切れないようにすることができる。特に、閉め終わりに高いトルクをかけても、前記ヒンジ蓋が外れ難く、ヒンジ蓋が捩じ切れないようにすることができる。
【００１７】
本考案のトレー付きキャップは、前記ヒンジ蓋の中心を通り、前記ヒンジの中心位置と前記ヒンジ蓋の開閉用に形成された係止部の中心位置とを結ぶ線に垂直な線より前記係止部側に、前記ねじれ防止リブが取り付けられている構成なので、キャップ部より径の大きなトレーを把持してトレー付きキャップをボトル型の容器本体部に取り付けても、トレーに取り付けられたヒンジ蓋が外れ難く、捩じ切れないようにすることができる。
【図面の簡単な説明】
【００１８】
【図１】本考案の第１の実施形態のトレー付きキャップを備えた液体注出容器を示す断面図である。
【図２】本考案の第１の実施形態のトレー付きキャップを示す図であって、図２（ａ）は平面展開図であり、図２（ｂ）は図２（ａ）のＡ−Ａ’線における断面図である。
【図３】本考案のトレー付きキャップをボトル容器にねじ込んで開閉する際にかかるトルクの方向を示す図である。
【図４】本考案の第１の実施形態のトレー付きキャップの部分拡大図であって、図２（ａ）に示したＢ部のヒンジ蓋を閉じたときの拡大断面図である。
【図５】本考案の第２の実施形態のトレー付きキャップの部分拡大図である。
【図６】比較例１のヒンジ蓋付きトレー付きキャップの部分拡大図である。
【図７】本考案のトレー付きキャップをボトル容器にねじ込んで開閉する様子を示した図である。
【考案を実施するための形態】
【００１９】
以下、本考案を実施するための形態について説明する。
（第１の実施形態）
図１は、本考案の実施形態であるトレー付きキャップを備えた液体注出容器の一例を示す断面図である。
図１に示すように、液体注出容器６１は、ボトル型の容器本体部１と、容器本体部１の空洞部１ｃに連通する開口１ｄを備えた口部１Ａを塞ぐように取り付けられた中栓４と、中栓４を覆うように取り付けられた本考案の実施形態であるトレー付きキャップ３０と、トレー付きキャップ３０を覆うように取り付けられた外部キャップ４５と、を有している。
中栓４に設けられた含浸体用孔部４ａには、棒状の含浸体（吸液芯）６が挿通保持されている。また、トレー付きキャップ３０のトレーには、略直方体状の含浸体（吸液体）１６が配置されている。吸液体１６と吸液芯６とが接触するように中栓４を覆うようにトレー付きキャップ３０を取り付けられている。
【００２０】
＜容器本体部１＞
容器本体部１は、空洞部１ｃを有する大径部１１と、大径部１１と外周面が滑らかに接続され、大径部１１より小径とされた小径部（ボトルネック部）１２とからなる。
ボトルネック部１２には、空洞部１ｃに連通する開口１ｄを備えた口部１Ａが設けられている。また、ボトルネック部１２の外周面には、ネジ部１ｆが形成されている。容器本体部１は、たとえば、プラスチックなどからなり、ほぼ均一な肉厚で形成されている。
空洞部１ｃには、たとえば、芳香剤、殺虫剤等の薬剤からなる液体が貯蔵される。
【００２１】
＜中栓４＞
中栓４には、中心部に含浸体用孔部４ａが設けられており、その周囲に通気孔４ｂが設けられている。
また、含浸体用孔部４ａを取り囲むように、下方向に突出された筒部（吸液芯スリーブ）７が形成されている。含浸体用孔部４ａには、一端側が前記液体に浸漬され、他端側が中栓４から突出するように配置された棒状の含浸体（吸液芯）６が挿通保持される。棒状の含浸体６は、吸液芯スリーブ７が押さえつけて保持する。
【００２２】
＜トレー付きキャップ＞
図１に示すように、本考案の実施形態であるトレー付きキャップ３０は、内壁面にネジ部３０ｆが設けられたキャップ部３２と、キャップ部３２の上部に取り付けられたトレー３３と、を有している。また、トレー３３には、ヒンジ３５を介してヒンジ蓋３４が取り付けられている。
キャップ部３２の内壁面にはネジ部３０ｆが形成されている。ネジ部５ｆを容器本体部１のネジ部１ｆに螺合させて、トレー付きキャップ３０を容器本体部１に取り付けることができる。
【００２３】
図２（ａ）は本考案の実施形態であるトレー付きキャップ３０の展開平面図であり、図２（ｂ）は図２（ａ）のＡ−Ａ’線における断面図である。
トレー３３には、含浸体などを配置できる収容凹部３３ｃが設けられており、収容凹部３３ｃには略直方体の含浸体１６が配置されている。ヒンジ蓋３４には、窓３６が設けられており、ヒンジ蓋３４で蓋をしても、含浸体１６から薬剤を揮散させることができる。
図２（ａ）に示すように、トレー３３とヒンジ蓋３４は、平面視したときにほぼ同一の形状とされている。また、トレー３３とヒンジ蓋３４とは、ヒンジ３５を介して接続されており、ヒンジ３５を介してヒンジ蓋３４を動かして、トレー３３の開閉を行うことができる。
【００２４】
トレー３３とヒンジ蓋３４のヒンジ３５を中心として対象となる位置には、ヒンジ蓋３４の開閉用のかぎ型のフック部４０と，係止凸部４１が形成されている。ヒンジ蓋３４を閉じて、フック部４０に係止凸部４１を係止させることにより、ヒンジ蓋３４でトレー３３の蓋をすることができる。
フック部４０を挟むように、ヒンジ蓋３４の内壁面に沿って２つのフック補強リブ３７が形成されている。これにより、強固にヒンジ蓋３４で蓋をすることができる。
【００２５】
ヒンジ蓋３４の内壁面に沿って２以上のねじれ防止リブ３８が取り付けられている。
ねじれ防止リブ３８は、ヒンジ蓋３４の中心よりもヒンジ３５に近い側に２つ、遠い側に２つ形成されている。
【００２６】
図３は、本考案の実施形態であるトレー付きキャップ３０をボトル容器１にねじ込んで開閉する際にかかるトルクの方向を示す図である。トルクの方向が矢印で示されている。
図３に示すように、ねじれ防止リブ３８は、ヒンジ蓋３４の中心を通り、ヒンジ３５の中心位置と前記ヒンジ蓋３４の開閉用に形成されたフック部４０の中心位置とを結ぶ線ａに垂直な線ｂよりフック部４０側に２つ取り付けられるとともに、垂直な線ｂを中心として線対称となる位置に２つ取り付けられている。これにより、前記トルクに対して抵抗力を高めるとともに、前記トルク方向の位置ずれを小さくすることができ、キャップ部３２より径の大きなトレー３３を把持してトレー付きキャップ３０をボトル型の容器本体部１に取り付けても、トレー３３に取り付けられたヒンジ蓋３４が外れ難く、捩じ切れないようにすることができる。
【００２７】
図４は、本考案の実施形態であるトレー付きキャップ３０の部分拡大図であって、ヒンジ蓋を閉じたときの図２（ａ）に示したＢ部の拡大断面図である。
図４に示すように、ヒンジ蓋３４でトレー３３の蓋をしたときに、トレー３３の外周縁部３３ａは、ねじれ防止リブ３８とヒンジ蓋３４の外周縁部３４ａとの間に嵌合されている。これにより、ねじれ防止リブ３８とヒンジ蓋３４としっかりと固定することができ、キャップ部３２より径の大きなトレー３３を把持してトレー付きキャップ３０をボトル型の容器本体部１に取り付けても、トレー３３に取り付けられたヒンジ蓋３４が外れ難く、捩じ切れないようにすることができる。
【００２８】
この例では、ヒンジ蓋３４の外周縁部（ヒンジ蓋外周縁部）３４ａに段部３４ｃが設けられており、ヒンジ蓋３４でトレー３３の蓋をしたときに、トレー３３の外周縁部（トレー外周縁部）３３ａが段部３４ｃに当接されている。
ねじれ防止リブ３８の先端３８ａが先細り状にされている。これにより、ねじれ防止リブ３８とヒンジ蓋３４の外周縁部３４ａとの間に、トレー３３の外周縁部３３ａを容易に嵌合させることができる。
【００２９】
段部３４ｃからヒンジ蓋３４の外周縁部３４ａの先端までの長さＬ１は、トレーに設けられた収容凹部３３ｃの深さＬ３の約１／３とされている。
段部３４ｃからヒンジ蓋３４の外周縁部３４ａの先端までの長さＬ１は、トレーに設けられた収容凹部３３ｃの深さＬ３の１／５以上とされていることが好ましい。ヒンジ蓋３４の裾を延長してトレー３３と当接部位を広げることにより、トレー３３の外周縁部３３ａをねじれ防止リブ３８とヒンジ蓋３４との間で強固に固定することができる。
たとえば、トレー３３の収容凹部３３ｃの深さＬ３を５．０ｍｍとし、段部３４ｃからヒンジ蓋３４の外周縁部３４ａの先端までの長さＬ１を０．８ｍｍとすると、トレー３３の外周縁部３３ａをねじれ防止リブ３８とヒンジ蓋３４との間の固定が十分ではなくなる場合が発生する。
【００３０】
段部３４ｃからねじれ防止リブ３８の先端３８ａまでの長さＬ２は、段部３４ｃからヒンジ蓋３４の外周縁部３４ａの先端までの長さＬ１とほぼ同一の長さとされている。
段部３４ｃからねじれ防止リブ３８の先端３８ａまでの長さＬ２が、段部３４ｃからヒンジ蓋３４の外周縁部３４ａの先端までの長さＬ１以上とされていることが好ましい。これにより、トレー３３の外周縁部３３ａをねじれ防止リブ３８とヒンジ蓋３４との間でしっかりと固定することができる。
【００３１】
本考案の実施形態であるトレー付きキャップ３０は、内壁面にネジ部３０ｆが設けられたキャップ部３２と、キャップ部３２に取り付けられたトレー３３と、を有し、トレー３３にヒンジ３５を介してヒンジ蓋３４が取り付けられたトレー付きキャップ３０であって、前記ヒンジ蓋３４の内壁面に沿って２以上のねじれ防止リブ３８が取り付けられており、ヒンジ蓋３４でトレー３３の蓋をしたときに、トレー３３の外周縁部３３ａがねじれ防止リブ３８とヒンジ蓋３４の外周縁部３４ａとの間に嵌合される構成なので、キャップ部３２より径の大きなトレー３３を把持してトレー付きキャップ３０をボトル型の容器本体部１に取り付けても、トレー３３に取り付けられたヒンジ蓋３４が外れ難く、捩じ切れないようにすることができる。特に、閉め終わりに高いトルクをかけても、ヒンジ蓋３４が外れ難く、ヒンジ蓋３４が外れ難く、捩じ切れないようにすることができる。
【００３２】
本考案の実施形態であるトレー付きキャップ３０は、ヒンジ蓋３４の外周縁部３４ａに設けられた段部３４ｃからヒンジ蓋３４の外周縁部３４ａの先端までの長さが、トレー３３に設けられた収容凹部３３ｃの深さの１／５以上である構成なので、キャップ部３２より径の大きなトレー３３を把持してトレー付きキャップ３０をボトル型の容器本体部１に取り付けても、トレー３３に取り付けられたヒンジ蓋３４が外れ難く、捩じ切れないようにすることができる。
【００３３】
本考案の実施形態であるトレー付きキャップ３０は、段部３４ｃからねじれ防止リブ３８の先端までの長さが、段部３４ｃからヒンジ蓋３４の外周縁部３４ａの先端までの長さ以上とされている構成なので、キャップ部３２より径の大きなトレー３３を把持してトレー付きキャップ３０をボトル型の容器本体部１に取り付けても、トレー３３に取り付けられたヒンジ蓋３４が外れ難く、捩じ切れないようにすることができる。
【００３４】
本考案の実施形態であるトレー付きキャップ３０は、ヒンジ蓋３４の中心を通り、ヒンジ３５の中心位置とヒンジ蓋３４の開閉用に形成されたフック部４０の中心位置とを結ぶ線ａに垂直な線ｂよりフック部４０側に、ねじれ防止リブ３８が取り付けられている構成なので、キャップ部３２より径の大きなトレー３３を把持してトレー付きキャップ３０をボトル型の容器本体部１に取り付けても、トレー３３に取り付けられたヒンジ蓋３４が外れ難く、捩じ切れないようにすることができる。
【００３５】
（第２の実施形態）
図５は、本考案の実施形態であるトレー付きキャップの別の一例を示す部分拡大図である。本考案の実施形態であるトレー付きキャップは、ねじれ防止リブの長さが長くされたほかは第１の実施形態で示したものと同様の構成とされている。なお、第１の実施形態で示したものと同一の部材については同一の符号を付して示している。
【００３６】
図５に示すように、ねじれ防止リブ３９の長さＬ４は、第１の実施形態で示したねじれ防止リブ３８の長さＬ２よりも長くされている。これにより、トレー３３の外周縁部３３ａの先端が段部３４ｃに突き当てられたときに、ねじれ防止リブ３９が、トレー３３の外周縁部３３ａをヒンジ蓋３４の外周縁部３４ａと挟み込むようにする。これにより、トレー３３の外周縁部３３ａをねじれ防止リブ３９とヒンジ蓋３４との間で強固に固定することができる。
トルクに対して抵抗力を高めるとともに、前記トルク方向の位置ずれを小さくすることができ、キャップ部より径の大きなトレーを把持してトレー付きキャップをボトル型の容器本体部に取り付けても、トレーに取り付けられたヒンジ蓋が外れ難く、捩じ切れないようにすることができる。
以下、本考案を実施例に基づいて具体的に説明する。しかし、本考案はこれらの実施例にのみ限定されるものではない。
【実施例】
【００３７】
（実施例１）
第１の実施形態に示したトレー付きキャップを、トレーの収容凹部の深さを５．０ｍｍとし、ねじれ防止リブの長さを１．０ｍｍとし、ヒンジ蓋の外周縁部の長さを１．０ｍｍとして作製した。
一定回数（５０回）一定のトルクで開け閉めを繰り返し、ヒンジ蓋のずれる回数を数えた（蓋部ズレ試験）。全くヒンジ蓋はずれなかった。
【００３８】
（実施例２）
ねじれ防止リブの長さを２．０ｍｍとし、ヒンジ蓋の外周縁部の長さを２．０ｍｍとしたほかは実施例１と同様にして、トレー付きキャップを作製し、前記ズレ試験を行った。全くヒンジ蓋はずれなかった。
【００３９】
（実施例３）
ねじれ防止リブの長さを３．０ｍｍとし、ヒンジ蓋の外周縁部の長さを２．０ｍｍとしたほかは実施例１と同様にして、トレー付きキャップを作製し、前記ズレ試験を行った。全くヒンジ蓋はずれなかった。
【００４０】
（比較例１）
図６に示す比較例１のトレー付きキャップを作製した。
比較例１のトレー付きキャップは、ねじれ防止リブが取り付けられず、ヒンジ蓋の外周縁部の長さＬ５が短くされたほかは第１の実施形態で示したものと同様の構成である。なお、第１の実施形態で示したものと同一の部材については同一の符号を付して示している。
【００４１】
前記ズレ試験を行った結果、４回、ヒンジ蓋がずれる場合が発生した。また、そのうち１回は、容器に嵌合する際に、ネジ部より径の大きなトレーを把持して一定のトルクで回転させたとき、ヒンジ蓋が捩じれて切れる場合が発生した。
【産業上の利用可能性】
【００４２】
本考案は、トレー付きキャップに関するものであって、芳香剤、殺虫剤等に用いられる薬剤揮散容器や薬液容器などに用いられるトレー付きキャップを製造あるいは使用する産業において利用可能性がある。
【符号の説明】
【００４３】
１…容器本体部、１ｃ…空洞部、１ｄ…開口、１ｅ…先端、１ｆ…ネジ部、４…中栓、４ａ…含浸体用孔部、４ｂ…通気孔、４ｄ…嵌合溝部、５…輸送用キャップ、５ｃ…上部空間、５ｆ…ネジ部、６…棒状の含浸体（吸液芯）、７…筒部（吸液芯スリーブ）、９…筒部、１１…大径部、１２…小径部(ボトルネック部)、１６…含浸体、３０…トレー付きキャップ、３０ｆ…ネジ部、３２…キャップ部、３３…トレー、３３ａ…外周縁部（トレー外周縁部）、３３ｃ…収容凹部、３４…ヒンジ蓋、３４ａ…外周縁部（ヒンジ蓋外周縁部）、３４ｃ…段部、３５…ヒンジ、３６…窓、３７…フック補強リブ、３８、３９…ねじれ防止リブ、４０…フック部、４１…係止凸部、４５…外部キャップ。
【図１】
0003149997.tif 000003
【図２】
0003149997.tif 000004
【図３】
0003149997.tif 000005
【図４】
0003149997.tif 000006
【図５】
0003149997.tif 000007
【図６】
0003149997.tif 000008
【図７】
0003149997.tif 000009